(57)【特許請求の範囲】
【請求項１】
ごみ焼却炉の廃熱を利用するボイラーと、前記ボイラーからの高圧蒸気により駆動する蒸気タービンと、該蒸気タービンによって発電する発電機と、前記蒸気タービンを通過した低圧蒸気を復水する復水器と、前記高圧蒸気の一部及び前記蒸気タービンの抽気蒸気を供給可能に接続された低圧蒸気溜めと、該低圧蒸気溜めの蒸気の熱を利用する熱利用設備と、前記ボイラーからの高圧蒸気を前記蒸気タービンを迂回させて前記復水器に供給可能に接続されたタービンバイパスラインと、蒸気量制御装置と、を備え、前記高圧蒸気の一部を前記低圧蒸気溜めに供給可能に接続する余剰蒸気熱利用ラインと前記タービンバイパスラインとが別系統とされ、
前記蒸気量制御装置は、前記蒸気タービンに供給される高圧蒸気の圧力が所定値を超える場合に該高圧蒸気の一部を前記低圧蒸気溜めへ逃がすことにより前記蒸気タービンに供給される高圧蒸気の圧力を前記所定値に保持しつつ、抽気蒸気の抽気量を制限して前記低圧蒸気溜め内を所定圧力範囲内に保持するように制御し、前記低圧蒸気溜めへ逃がす高圧蒸気の蒸気量が前記抽気量の制限によって前記低圧蒸気溜め内の圧力を前記所定圧力範囲内に保持することができる蒸気量を超える場合に、前記低圧蒸気溜め内を所定圧力範囲内に保持するように前記タービンバイパスラインを通じて高圧蒸気を前記復水器に逃がすように制御することを特徴とする、ごみ焼却炉用発電設備。
【請求項２】
ごみ焼却炉の廃熱を利用するボイラーと、前記ボイラーからの高圧蒸気により駆動する蒸気タービンと、該蒸気タービンによって発電する発電機と、前記蒸気タービンを通過した低圧蒸気を復水する復水器と、前記高圧蒸気の一部及び前記蒸気タービンの抽気蒸気を供給可能に接続された低圧蒸気溜めと、該低圧蒸気溜めの蒸気の熱を利用する熱利用設備と、前記ボイラーからの高圧蒸気を前記蒸気タービンを迂回させて前記復水器に供給可能に接続されたタービンバイパスラインと、を備え、前記高圧蒸気の一部を前記低圧蒸気溜めに供給可能に接続する余剰蒸気熱利用ラインと前記タービンバイパスラインとが別系統とされた、ごみ焼却炉用発電設備の制御方法であって、
前記蒸気タービンに供給される高圧蒸気の圧力が所定値を超える場合に該高圧蒸気の一部を前記低圧蒸気溜めへ逃がすことにより前記蒸気タービンに供給される高圧蒸気の圧力を前記所定値に保持しつつ、抽気蒸気の抽気量を制限して前記低圧蒸気溜め内を所定圧力範囲内に保持するように制御し、前記低圧蒸気溜めへ逃がす高圧蒸気の蒸気量が前記抽気量の制限によって前記低圧蒸気溜め内の圧力を前記所定圧力範囲内に保持することができる蒸気量を超える場合に、前記低圧蒸気溜め内を所定圧力範囲内に保持するように前記タービンバイパスラインを通じて高圧蒸気を復水器に逃がすように制御することを特徴とする、前記制御方法。
【発明の詳細な説明】
【技術分野】
【０００１】
本発明は、ごみ焼却炉用発電設備の制御システム及び制御方法に係り、詳しくは、余剰蒸気を有効利用するためのごみ焼却炉用発電設備及びその制御方法に関する。
【背景技術】
【０００２】
従来、ごみ焼却炉の廃熱を利用して発電するごみ焼却炉用発電設備は、一般の火力発電所と同様の機器で構成されており、蒸気を作動流体とするランキンサイクルを行うため、図３に示すように、主要機器として、焼却炉（不図示）で発生するごみの燃焼熱を吸収し圧力、温度の高い蒸気を発生するボイラー１及び過熱器２、蒸気の持つエネルギーを動力に変換する蒸気タービン３、蒸気タービン３に駆動されて電力を発生する発電機４、及び、蒸気タービン３で仕事を終えた圧力の低い蒸気を再び水に戻す低圧蒸気復水器５を備える。更に、ごみ焼却炉用発電設備は、付帯設備として、ボイラー給水ポンプ６、脱気器７、脱気器給水ポンプ８、蒸気式空気予熱器９、復水タンク１０、蒸気タービン３から抽気した蒸気熱を利用する脱気器７や給湯設備や暖房設備などの余熱利用設備１１、エコノマイザー１２、高圧蒸気溜め１３、低圧蒸気溜め１４などを備える。
【０００３】
ごみ焼却炉に付設される発電設備においては、一般に低質ごみから高質ごみに対応した発電設備を設置する必要がある。
【０００４】
そのため、例えば、蒸気タービン３を最も発生蒸気量の多い高質ごみに合わせて設計し、低質ごみから高質ごみ時に発生する蒸気を全て蒸気タービンに飲み込ませるようにすると、年間を通じて最も出現頻度が高いと想定される基準ごみ程度のごみを焼却した場合、蒸気タービンは低負荷運転となり、発電出力や発電効率が低下するという問題がある。
【０００５】
そこで、図４に示すように、蒸気タービン３を基準ごみ或いは基準ごみよりやや高めのごみ質に合わせて設計し、余剰蒸気が発生した場合は、バイパスライン１５を通じて低圧蒸気復水器５にて全量復水する構成のごみ焼却炉用発電設備が提案されている。しかしながら、この場合、余剰蒸気の持つエネルギーは大気に放出され、有効に利用されないという問題がある。
【０００６】
そこで、図５及び図６に示されているように、蒸気タービン３に蒸気を供給する高圧蒸気供給ライン１６における蒸気量が蒸気タービン３の最大飲み込み量を超えると、余剰蒸気の一部又は全部を脱気器７や余剰熱利用設備１１等の熱利用設備にて有効利用し、蒸気タービン３の抽気蒸気の量を減らすことにより、発電機４の出力を増加させることを目的としたごみ焼却炉用発電設備が提案されている（特許文献１等）。
【０００７】
図５のごみ焼却炉用発電設備では、余剰蒸気発生時には、抽気蒸気制御弁Ｖｄを閉じ、余剰蒸気熱利用制御弁Ｖａを開き、余剰蒸気熱利用ライン１７を通じて低圧蒸気溜め１４へ蒸気を送る。低圧蒸気溜め１４に送られた余剰蒸気は、余熱利用設備１１及び脱気器７等の熱利用設備で有効に利用される。熱利用設備で利用される以上の余剰蒸気がある場合は、タービンバイパス制御弁Ｖｂ１を開き、熱利用設備で利用される以上の余剰蒸気をタービンバイパスライン１８を通じて低圧蒸気復水器５にて復水する。余剰蒸気を熱利用設備にて利用する分、抽気ライン１９からの抽気蒸気を減らすことができ、発電機４の出力を増加することができる。
【０００８】
図６のごみ焼却炉用発電設備では、余剰蒸気発生時には、抽気蒸気制御弁Ｖｄを閉じ、余剰蒸気熱利用制御弁Ｖａ、Ｖｆを開き、タービンバイパスライン２０ａ、余剰蒸気熱利用ライン２１を通じて低圧蒸気溜め１４へ蒸気を送る。低圧蒸気溜め１４に送られた余剰蒸気は、余熱利用設備１１及び脱気器７等の熱利用設備で有効に利用される。熱利用設備で利用される以上の余剰蒸気がある場合は、タービンバイパス制御弁Ｖｂ２を開き、タービンバイパスライン２０ｂを通じて熱利用設備で利用される以上の余剰蒸気を低圧蒸気復水器５に逃がして復水する。余剰蒸気を熱利用設備にて利用する分、抽気ライン１９からの抽気蒸気量を減らすことができ、蒸気タービン発電機４の出力を増加することができる。
【先行技術文献】
【特許文献】
【０００９】
【特許文献１】特開２００６−２８４０１８号公報
【発明の概要】
【発明が解決しようとする課題】
【００１０】
図５に示したごみ焼却炉用発電設備は、蒸気タービン３が稼働している状態での運転は可能であるが、蒸気タービンがトリップし急激にタービンバイパス蒸気量が増えた場合、余剰蒸気熱利用制御弁Ｖａを急開して余剰蒸気熱利用ライン１７を通じて低圧蒸気溜め１４に大量のタービンバイパス蒸気を送り、次いで、タービンバイパス制御弁Ｖｂ１を急開して低圧蒸気溜め１４に流れ込んだ大量の蒸気をタービンバイパスライン１８を通じて低圧蒸気復水器５へ送る。
【００１１】
この場合、余剰蒸気熱利用制御弁Ｖａとタービンバイパス制御弁Ｖｂ１の流量特性及び動作特性が異なるため、両弁間にある低圧蒸気溜め１４内の圧力が変動する。低圧蒸気溜め１４内の圧力が変動すると、低圧蒸気溜め１４の後段に設置されている機器の圧力も変動し、各所で安全弁（不図示）が作動したり、脱気器圧力が変動する恐れがある。
【００１２】
図６に示すごみ焼却炉用発電設備でも、蒸気タービン３が稼働している状態での運転は可能であるが、タービントリップ時は余剰蒸気熱利用制御弁Ｖａ及びタービンバイパス制御弁Ｖｂ２を急開し、タービンバイパスライン２０ａ、２０ｂを通じて大量のタービンバイパス蒸気を低圧蒸気復水器５へ送ることとなる。この場合、余剰蒸気熱利用制御弁Ｖａとタービンバイパス制御弁Ｖｂ２の流量特性及び動作特性が異なるため、両弁間の配管内圧力が変動し、余剰蒸気熱利用制御弁Ｖｆの入口圧力が変動する。余剰蒸気熱利用制御弁Ｖｆの入口圧力が変動すると余剰蒸気熱利用制御弁Ｖｆ後段の低圧蒸気溜め１４の圧力も変動する。低圧蒸気溜め１４内の圧力が変動すると、低圧蒸気溜め１４の後段に設置されている機器の圧力も変動し、各所で安全弁（不図示）が作動したり、脱気器圧力が変動する恐れがある。
【００１３】
そこで、本発明は、蒸気タービンに供給される蒸気量が蒸気タービンの最大飲み込み量を超えた時にはその余剰蒸気を余熱利用設備や脱気器加熱等の熱利用設備に有効利用して発電設備全体のエネルギー効率を向上させつつ、タービントリップが発生した場合でも安全弁を作動させるような危険な圧力状態を回避することのできる、ごみ焼却炉用発電設備及びその制御方法を提供することを主たる目的とする。
【課題を解決するための手段】
【００１４】
上記目的を達成するため、本発明に係るごみ焼却炉用発電設備は、ごみ焼却炉の廃熱を利用するボイラーと、前記ボイラーからの高圧蒸気により駆動する蒸気タービンと、該蒸気タービンによって発電する発電機と、前記蒸気タービンを通過した低圧蒸気を復水する復水器と、前記高圧蒸気の一部及び前記蒸気タービンの抽気蒸気を供給可能に接続された低圧蒸気溜めと、該低圧蒸気溜めの蒸気の熱を利用する熱利用設備と、前記ボイラーからの高圧蒸気を前記蒸気タービンを迂回させて前記復水器に供給可能に接続されたタービンバイパスラインと、蒸気量制御装置と、を備え、前記高圧蒸気の一部を前記低圧蒸気溜めに供給可能に接続する余剰蒸気熱利用ラインと前記タービンバイパスラインとが別系統とされ、前記蒸気量制御装置は、前記蒸気タービンに供給される高圧蒸気の圧力が所定値を超える場合に該高圧蒸気の一部を前記低圧蒸気溜めへ逃がすことにより前記蒸気タービンに供給される高圧蒸気の圧力を前記所定値に保持しつつ、抽気蒸気の抽気量を制限して前記低圧蒸気溜め内を所定圧力範囲内に保持するように制御し、前記低圧蒸気溜めへ逃がす高圧蒸気の蒸気量が前記抽気量の制限によって前記低圧蒸気溜め内の圧力を前記所定圧力範囲内に保持することができる蒸気量を超える場合に、前記低圧蒸気溜め内を所定圧力範囲内に保持するように前記タービンバイパスラインを通じて高圧蒸気を前記復水器に逃がすように制御することを特徴とする。
【００１５】
また、上記目的を達成するため、本発明は、ごみ焼却炉の廃熱を利用するボイラーと、前記ボイラーからの高圧蒸気により駆動する蒸気タービンと、該蒸気タービンによって発電する発電機と、前記蒸気タービンを通過した低圧蒸気を復水する復水器と、前記高圧蒸気の一部及び前記蒸気タービンの抽気蒸気を供給可能に接続された低圧蒸気溜めと、該低圧蒸気溜めの蒸気の熱を利用する熱利用設備と、前記ボイラーからの高圧蒸気を前記蒸気タービンを迂回させて前記復水器に供給可能に接続されたタービンバイパスラインと、を備え、前記高圧蒸気の一部を前記低圧蒸気溜めに供給可能に接続する余剰蒸気熱利用ラインと前記タービンバイパスラインとが別系統とされたごみ焼却炉用発電設備の制御方法であって、前記蒸気タービンに供給される高圧蒸気の圧力が所定値を超える場合に該高圧蒸気の一部を前記低圧蒸気溜めへ逃がすことにより前記蒸気タービンに供給される高圧蒸気の圧力を前記所定値に保持しつつ、抽気蒸気の抽気量を制限して前記低圧蒸気溜め内を所定圧力範囲内に保持するように制御し、前記低圧蒸気溜めへ逃がす高圧蒸気の蒸気量が前記抽気量の制限によって前記低圧蒸気溜め内の圧力を前記所定圧力範囲内に保持することができる蒸気量を超える場合に、前記低圧蒸気溜め内を所定圧力範囲内に保持するように前記タービンバイパスラインを通じて高圧蒸気を復水器に逃がすように制御することを特徴とする。
【発明の効果】
【００１６】
本発明によれば、蒸気タービンに供給される高圧蒸気が蒸気タービンの最大飲み込み量を超えることにより蒸気タービンに供給される圧力が所定値を超えた場合に、蒸気タービンの抽気量を制限することによって蒸気タービンの抽気蒸気量を減少あるいはゼロにしてその蒸気を蒸気タービンの排気側へ流すことで蒸気タービンによって駆動する発電機の発電量を増加させながら、発生する余剰蒸気の一部又は全部を低圧蒸気溜めに逃がして低圧蒸気溜めの蒸気圧を所定範囲内に保持しつつ低圧蒸気溜めを介して脱気器等の熱利用設備に蒸気を供給するので、余剰蒸気を有効利用し、発電設備全体のエネルギー効率を向上させることができ、さらに、タービントリップ時等においては、余剰蒸気熱利用ラインとは別系統のタービンバイパスラインを通じて高圧蒸気を逃がすので、余剰蒸気熱利用ラインの安全弁を作動させるような危険な圧力状態を回避することができる。
【００１７】
従来では蒸気タービンの最大飲み込み蒸気量は、ごみ質等の変動に伴う蒸発量の変動を考慮し、平均的に処理されるごみ（基準ごみ）に余裕を見込んだごみ質（例えば基準ごみの１０%増）をタービン設計ごみ質として設定することが多かったが、本発明によれば、余剰蒸気が発生しても蒸気タービンによる発電機の発電量を増加させることができるので、蒸気タービン最大飲み込み蒸気量を基準ごみ程度で設計することが可能となり、その結果、蒸気タービンを従来よりコンパクトに設計でき、しかも基準ごみでの発電効率を向上させる設計が可能となる。
【図面の簡単な説明】
【００１８】
【図１】本発明に係るごみ焼却炉用発電設備の一実施形態を示すシステム図である。
【図２】図１のごみ焼却炉用発電設備の制御フローチャートである。
【図３】従来のごみ焼却炉用発電設備の一形態を示すシステム図である。
【図４】従来のごみ焼却炉用発電設備の他の形態を示すシステム図である。
【図５】従来のごみ焼却炉用発電設備の更に他の形態を示すシステム図である。
【図６】従来のごみ焼却炉用発電設備の更に他の形態を示すシステム図である。
【発明を実施するための形態】
【００１９】
本発明に係るごみ焼却炉用発電設備およびその制御方法について、以下に図１及び図２を参照して説明する。なお、上記従来例を通じ、同様の構成部分には同符号を付した。
【００２０】
図１に示すように、ごみ焼却炉用発電設備は、図外焼却炉の廃熱を利用するボイラー１と、ボイラー１と高圧蒸気供給ライン１６で接続された蒸気タービン３と、蒸気タービン３によって発電する発電機４と、蒸気タービン３と復水ライン２２で接続された復水器５と、高圧蒸気供給ライン１６に介在された高圧蒸気溜め１３と、高圧蒸気溜め１３と余剰蒸気熱利用ライン１７で接続された低圧蒸気溜め１４と、低圧蒸気溜め１４と接続された脱気器７や給湯設備や暖房設備などの余熱利用設備１１などの熱利用設備と、高圧蒸気供給ライン１６と復水ライ２２とを接続するタービンバイパスライン１５と、蒸気タービン３から抽気して抽気蒸気を低圧蒸気溜め１４に供給する抽気ライン１９と、余剰蒸気熱利用ライン１７に介在された余剰蒸気熱利用制御弁Ｖａと、タービンバイパスライン１５に介在されたタービンバイパス制御弁Ｖｂと、抽気ライン１９に介在された抽気蒸気制御弁Ｖｄと、高圧蒸気供給ライン１６の蒸気圧を検出する第１圧力検出器ＰＡと、低圧蒸気溜め１４の蒸気圧を検出する第２圧力検出器ＰＢと、第１圧力検出器ＰＡ及び第２圧力検出器ＰＢから検出信号を受け取り、余剰蒸気熱利用制御弁Ｖａ、タービンバイパス制御弁Ｖｂ、及び抽気蒸気制御弁Ｖｄ等を制御する蒸気量制御装置２３と、を備えている。余剰蒸気熱利用ライン１７とタービンバイパスライン１５とは、高圧蒸気溜め１３から蒸気供給系統が別系統となっている。
【００２１】
高圧蒸気供給ライン１６のタービン入口付近には、通常、タービン入口遮断弁Ｖｅが設けられる。タービン入口遮断弁Ｖｅは、蒸気タービンの回転速度、軸振動、軸受部などに異常が生じた場合等に、図外の中央制御室或いは蒸気タービンが設置されている現場制御盤からの指令により、タービンへの蒸気の流入を遮断し、蒸気タービンを急速に停止させる。なお、蒸気タービンへの蒸気の流入を遮断し、蒸気タービンを急速に停止することを、タービントリップという。
【００２２】
余剰蒸気熱利用制御弁Ｖａ、タービンバイパス制御弁Ｖｂ、及び抽気蒸気制御弁Ｖｄは、開度調整が可能な制御弁、例えば比例制御弁である。
【００２３】
蒸気量制御装置２３による制御手順を、以下、図２の制御フローチャートを併せて参照して説明する。
【００２４】
スタート時、即ち蒸気タービン３が停止している初期状態では、余剰蒸気熱利用制御弁Ｖａ及びタービンバイパス制御弁Ｖｂは開いており、タービン入口遮断弁Ｖｅ、及び、抽気蒸気制御弁Ｖｄは閉じている。
【００２５】
蒸気量制御装置２３は、第１圧力検出器ＰＡの検出圧力（Ｐａ）が、蒸気タービン運転可能下限設定圧力（Ｐ０）以上か否かを判断する（ステップＳ１）。
【００２６】
蒸気量制御装置２３は、ステップＳ１において第１圧力検出器ＰＡの検出圧力（Ｐａ）が、蒸気タービン運転可能下限設定圧力（Ｐ０）より小さい（即ち、Ｐａ＜Ｐ０）と判断した場合、前記初期状態を維持し、低圧蒸気溜め１４内の蒸気圧力が低圧蒸気だめ１４に関連して設定された所定値（Ｐ２）となるように、第２圧力検出器ＰＢの検出圧力（Ｐｂ）に基づいて、余剰蒸気熱利用制御弁Ｖａを制御する。この所定値（Ｐ２）は、例えば低圧蒸気溜め１４の運転圧力であり、例えば０．５ＭＰａである。
【００２７】
蒸気量制御装置２３は、ステップＳ１において第１圧力検出器ＰＡの検出圧力（Ｐａ）が、蒸気タービン運転可能下限設定圧力（Ｐ０）以上（即ち、Ｐａ≧Ｐ０）と判断した場合、検出圧力（Ｐａ）が蒸気タービンに関連して設定された所定値（Ｐ１）未満か否かを判断する（ステップＳ２）。所定値（Ｐ１）は、例えばタービン定格圧力であり、例えば３．７ＭＰａである。
【００２８】
蒸気量制御装置２３は、ステップＳ２において第１圧力検出器ＰＡの検出圧力（Ｐａ）が所定値（Ｐ１）未満（即ち、Ｐａ＜Ｐ１）と判断した場合、通常運転モードで制御する（ステップＳ３）。
【００２９】
通常運転モードでは、余剰蒸気熱利用制御弁Ｖａ及びタービンバイパス制御弁Ｖｂを閉じ、タービン入口遮断弁Ｖｅを開く。また、低圧蒸気溜め１４内の蒸気圧力（Ｐｂ）が所定値（Ｐ２）となるように、第２圧力検出器ＰＢの検出圧力（Ｐｂ）に基づいて、抽気蒸気制御弁Ｖｄが制御される。
【００３０】
高圧蒸気の蒸気量が増して、蒸気量制御装置２３がステップＳ２において第１圧力検出器ＰＡの検出圧力（Ｐａ）が所定値（Ｐ１）以上（即ち、Ｐａ≧Ｐ１）と判断した場合、蒸気量制御装置２３は余剰蒸気利用運転モードに切り替える（ステップＳ４）。
【００３１】
余剰蒸気利用運転モードでは、一旦、初期状態にセットされる。余剰蒸気利用運転モードの初期状態は、通常運転モードと同じ状態、即ち、余剰蒸気熱利用制御弁Ｖａ及びタービンバイパス制御弁Ｖｂを閉じ、タービン入口遮断弁Ｖｅを開き、低圧蒸気溜め１４内の蒸気圧力（Ｐｂ）が所定値（Ｐ２）となるように抽気蒸気制御弁Ｖｄの開度が制御される状態である。
【００３２】
余剰蒸気利用運転モードにおいて、余剰蒸気を熱利用設備において利用するため、前記初期状態から余剰蒸気熱利用制御弁Ｖａを開き、蒸気タービン３の最大飲み込み量を超える余剰蒸気を、余剰蒸気熱利用ライン１７を通じて低圧蒸気溜め１４へ送る。
【００３３】
余剰蒸気利用運転モードにおいては、先ず、第２圧力検出器ＰＢによる低圧蒸気溜め１４内の検出圧力（Ｐｂ）が所定値（Ｐ２）以下か否かが判定される（ステップＳ５）。
【００３４】
ステップＳ５において第２圧力検出器ＰＢによる低圧蒸気溜め１４内の検出圧力（Ｐｂ）が所定値（Ｐ２）以下と判定された場合、余剰蒸気熱利用制御弁Ｖａの開度を調整することにより、第１圧力検出器ＰＡの検出圧力（Ｐａ）が所定値（Ｐ１）となるように余剰蒸気熱利用制御弁Ｖａを制御し、余剰蒸気を余剰蒸気熱利用ライン１７を通じて低圧蒸気溜め１４へ送り、蒸気タービン３に供給される蒸気の圧力を所定値（Ｐ１）に保つ一方、低圧蒸気溜め１４内の圧力は、第２圧力検出器ＰＢの検出圧力（Ｐｂ）に基づいて、抽気蒸気制御弁Ｖｄの開度を増加させることにより所定値（Ｐ２）となるように、抽気蒸気制御弁Ｖｄが制御される（ステップＳ６）。
【００３５】
ステップＳ５において第２圧力検出器ＰＢによる低圧蒸気溜め１４内の検出圧力（Ｐｂ）が低圧蒸気溜め１４の所定値（Ｐ２）より大きい（即ちＰｂ＞Ｐ２）と判定された場合、さらに第２圧力検出器ＰＢによる検出圧力（Ｐｂ）が低圧蒸気溜め１４の上限として設定された上限設定値（Ｐ３（例えば０．６ＭＰａ））以下であるか否かが判定される（ステップＳ７）。上限設定値（Ｐ３）は、低圧蒸気溜め１４の後段に設置されている機器の安全弁を作動させないレベルに設定される。
【００３６】
ステップＳ７において第２圧力検出器ＰＢによる検出圧力（Ｐｂ）が低圧蒸気溜め１４の上限設定値（Ｐ３）以下（即ちＰｂ≦Ｐ３）と判定された場合、抽気蒸気制御弁Ｖｄの開度を減少させて低圧蒸気溜め１４の圧力を下げて所定値（Ｐ２）に近づける一方、余剰蒸気熱利用制御弁Ｖａの開度を調整することにより、第１圧力検出器ＰＡの検出圧力（Ｐａ）に基づき蒸気タービンへ供給される圧力を所定値（Ｐ１）に保つように制御される（ステップＳ８）。
【００３７】
余剰蒸気熱利用ライン１７を通る蒸気量が増加し、抽気蒸気制御弁Ｖｄを全閉としても低圧蒸気溜め１４の検出圧力（Ｐｂ）が上限設定値（Ｐ３）を超える場合、すなわち、ステップＳ７において第２圧力検出器ＰＢによる検出圧力（Ｐｂ）が低圧蒸気溜め１４の上限設定値（Ｐ３）より大きいと判定された場合、余剰蒸気熱利用制御弁Ｖａの開度を減少させ、低圧蒸気溜め１４の検出圧力（Ｐｂ）が上限設定値（Ｐ３）を超えないように制御する（ステップＳ９）。
【００３８】
なお、通常運転モード（ステップＳ３）では、低圧蒸気溜め１４の圧力（Ｐｂ）は、抽気蒸気制御弁Ｖｄの開度調整により所定値Ｐ２となるように制御され、余剰蒸気熱利用制御弁Ｖａは全閉を基本とするが、蒸気タービン３が部分負荷運転となり、抽気ライン１９から供給される抽気蒸気圧が下がると、抽気蒸気制御弁Ｖｄを全開としても低圧蒸気溜め１４内の圧力（Ｐｂ）が所定値Ｐ２より低くなる場合があるので、その場合には、余剰蒸気熱利用制御弁Ｖａの開度を増加させ、低圧蒸気溜め１４に蒸気を供給することで低圧蒸気溜め１４の蒸気圧力を所定値Ｐ２に戻すように制御する。
【００３９】
ステップＳ９において余剰蒸気熱利用制御弁Ｖａの開度を減少させたことにより、高圧蒸気供給ライン１６の圧力（Ｐａ）が蒸気タービン３の上限設定値（Ｐ４）以下か否かを判定する（ステップＳ１０）。
【００４０】
ステップＳ１０において、第１圧力検出器ＰＡの検出圧力（Ｐａ）が上限設定値（Ｐ４）を超えると判定された場合は、タービンバイパス制御弁Ｖｂの開度を増加させて（ステップＳ１１）、高圧蒸気供給ライン１６の圧力を低下させ、第１圧力検出器ＰＡの検出圧力（Ｐａ）が上限設定値（Ｐ４）以下と判定された場合は、上限設定値（Ｐ４）を超えないようにタービンバイパス制御弁Ｖｂの開度を減少させて（ステップＳ１２）、できるだけ多くの高圧蒸気が蒸気タービン３に供給されるようにする。
【００４１】
タービントリップ時には蒸気タービン入口のタービン入口遮断弁Ｖｅが遮断されるため、第１圧力検出器ＰＡの検出圧力（Ｐａ）が急上昇し、上限設定値（Ｐ４）を超える。その場合、タービンバイパス制御弁Ｖｂは急速に開かれ、高圧蒸気は、タービンバイパスライン１５を通じて低圧蒸気復水器５へ逃がされる。タービンバイパスライン１５は、低圧蒸気溜め１４を経由していないため、タービンバイパスライン１５を介して高圧蒸気を復水器５に逃がしても、低圧蒸気溜め１４の後段に設置されている機器の安全弁（不図示）を作動させず、また、脱気器圧力の変動も抑制し得る。
【符号の説明】
【００４２】
１  ボイラー
３  蒸気タービン
５  復水器
１３  高圧蒸気溜め
１４  低圧蒸気溜め
１５  タービンバイパスライン
２３  蒸気量制御装置
【図１】
0005656753.tif 000002
【図２】
0005656753.tif 000003
【図３】
0005656753.tif 000004
【図４】
0005656753.tif 000005
【図５】
0005656753.tif 000006
【図６】
0005656753.tif 000007